(57)【要約】      （修正有）【課題】可収納ハンガーを使用位置でも前方に大きく張り出すことがなく、使用空間を小さくすることができ、また出し入れ操作を手を長く伸ばすことなく容易に行うことができること。【解決手段】収納物体５０の底壁５０Ｂに取付けられた１対の支持ブラケットにそれぞれ取付けられた支持杆４２Ｌに可動ハンガー部材３０の両端支持部４４Ｌの案内溝２８を貫通させて可動ハンガー部材３０を摺動自在で揺動自在に支持し、可動ハンガー部材３０を案内溝４６に沿って水平に進退し、前進位置で可動ハンガー部材３０の両端支持部４４Ｌを底壁４８の傾斜支持面に沿って傾斜させて可動ハンガー部材３０のハンガー杆部分３０Ｒを下降した使用位置とする。【選択図】図４
2007175282.tif 000002
【特許請求の範囲】
【請求項１】
ハンガー収納部と、前記ハンガー収納部に収納自在に設置された可動ハンガー部材とから成る可収納ハンガーにおいて、前記可動ハンガー部材を前記ハンガー収納部に摺動自在で揺動自在に支持し、且つ前記可動ハンガー部材が摺動運動の前進位置における揺動運動で先端が下降する位置となるように支持する可動ハンガー部材支持手段と、前記可動ハンガー部材の前進下降位置で前記可動ハンガー部材が前記ハンガー収納部から脱落するのを防止する可動ハンガー部材脱落防止手段とを備えていることを特徴とする可収納ハンガー。
【請求項２】
ハンガー収納部と、前記ハンガー収納部に収納自在に設置された可動ハンガー部材とから成る可収納ハンガーにおいて、前記ハンガー収納部は、１対の相対する支持ブラケットから成り、前記可動ハンガー部材は、前記支持ブラケットに摺動自在で揺動自在に支持される１対の両端支持部を備え、前記１対の両端支持部は、前記可動ハンガー部材が摺動運動の前進位置における揺動運動で先端が下降する位置となるように前記１対の支持ブラケットに支持され、前記可動ハンガー部材を前記１対の支持ブラケットに摺動自在に支持し且つ前記可動ハンガー部材の前進下降位置で前記可動ハンガー部材が前記１対の支持ブラケットから脱落するのを防止する可動ハンガー部材脱落防止手段を備えていることを特徴とする可収納ハンガー。
【請求項３】
請求項２に記載の可収納ハンガーであって、前記可動ハンガー落下防止手段は、前記１対の支持ブラケットと前記可動ハンガー部材の１対の両端支持部との一方に設けられた支持杆と他方に設けられ前記支持杆を案内する案内溝とから成っていることを特徴とする可収納ハンガー。
【請求項４】
請求項２又は３に記載の可収納ハンガーであって、前記ハンガー収納部は、前記可動ハンガー部材の収納位置で前記可動ハンガー部材の１対の両端支持部を下支えする底壁を有することを特徴とする可収納ハンガー。
【請求項５】
請求項４に記載の可収納ハンガーであって、前記ハンガー収納部の底壁は、前記１対の支持ブラケットに一体にそれぞれ設けられた底壁が兼ねていることを特徴とする可収納ハンガー。
【請求項６】
請求項５に記載の可収納ハンガーであって、前記支持杆は、前記１対の支持ブラケットに跨って取付けられ、前記１対の支持ブラケットは、その底壁が連続していることを特徴とする可収納ハンガー。
【請求項７】
請求項４乃至６のいずれかに記載の可収納ハンガーであって、前記ハンガー収納部の底壁は、前記可動ハンガー部材の摺動運動の前進位置で前記可動ハンガー部材を斜め下向きに維持するように設けられた傾斜支持面を前方に有することを特徴とする可収納ハンガー。
【請求項８】
請求項３乃至６のいずれかに記載の可収納ハンガーであって、前記案内溝は、その前端に設けられて前記可動ハンガー部材の収納位置で前記支持杆が係入して前記可動ハンガー部材を抜け止めする係入凹部を備えていることを特徴とする可収納ハンガー。
【請求項９】
請求項３乃至８のいずれかに記載の可収納ハンガーであって、前記案内溝は、その後端に設けられて前記可動ハンガー部材の前進下降位置で前記支持杆が係入して前記可動ハンガー部材の前後の変位を拘束する係入凹部を備えていることを特徴とする可収納ハンガー。
【請求項１０】
請求項２に記載の可収納ハンガーであって、前記可動ハンガー部材脱落防止手段は、前記可動ハンガー部材と前記１対の支持ブラケットとの間に設けられ前記可動ハンガー部材の前進落下位置を保持する索条体から成っていることを特徴とする可収納ハンガー。
【発明の詳細な説明】
【技術分野】
【０００１】
本発明は、例えば、棚、天袋その他の種々の収納物体の下方に設けられ、又は収納物体とは無関係にして適宜の壁に設けられる可収納ハンガーに関するものである。
【背景技術】
【０００２】
例えば、キッチン等に設けられる吊り戸棚の如き収納物体の下方に可収納ハンガーが出し入れ自在に設けられることがあり、この可収納ハンガーの幾つかの従来技術が特許文献１及び２に示されている。
【０００３】
１つの従来技術の可収納ハンガーは、吊り戸棚の下方に配置された多数の吊下げ杆を有する可動ハンガー部材から成っており、この可動ハンガー部材は、水平方向に出し入れ自在に支持されている（特許文献１参照）。しかし、この可収納ハンガーは、使用位置では、吊り戸棚の下方前方に張り出しているので、吊り戸棚に物を出し入れするためにアクセスすることが難しくなり、吊り戸棚にアクセスするためには、可収納ハンガーを不使用位置に引っ込めなければならないので、使用勝手が悪い欠点があった。
【０００４】
他の従来技術の可収納ハンガーは、吊り戸棚の下方前方にピボット止めされた略Ｕ字形の可動ハンガー部材から成っている（特許文献２参照）。この可収納ハンガーは、その使用位置でも、可動ハンガー部材が戸棚の前方に張り出すことがないので、戸棚にアクセスすることはできるが、可動ハンガー部材を出し入れする際に、可動ハンガー部材の横杆部分を握って手前から奥へ又はその逆に操作するので、特に奥まで手が届かない場合には、出し入れ操作することができない欠点があった。
【０００５】
なお、可収納ハンガーは、収納物体とは無関係にして垂直な壁に取付けられることもあるが、特許文献１による従来技術の可収納ハンガーを使用しようとすると、可動ハンガー部材が壁から相当に離れて前進してハンガー使用空間が大きくなり、また特許文献２による従来技術の可収納ハンガーを使用しようとすると、前記と同様に、可動ハンガー部材を出し入れする際に、可動ハンガー部材の横杆部分を握って手前から奥へ又はその逆に操作するので、特に奥まで手が届かない場合には、出し入れ操作することができない欠点があった。
【０００６】
【特許文献１】特開平７−５９６２３号公報
【特許文献２】特開平５−３０５０１４号公報
【発明の開示】
【発明が解決しようとする課題】
【０００７】
本発明が解決しようとする課題は、使用空間を大きくしたり、吊り戸棚等の収納物体へのアクセスを阻害したりすることがなく、また使用位置と収納位置との間への出し入れ操作を容易に行うことができる可収納ハンガーを提供することにある。
【課題を解決するための手段】
【０００８】
本発明の第１の基本的な課題解決手段は、ハンガー収納部と、このハンガー収納部に収納自在に設置された可動ハンガー部材とから成る可収納ハンガーにおいて、可動ハンガー部材をハンガー収納部に摺動自在で揺動自在に支持し、且つ可動ハンガー部材が摺動運動の前進位置における揺動運動で先端が下降する位置となるように支持する可動ハンガー部材支持手段と、可動ハンガー部材の前進下降位置で可動ハンガー部材がハンガー収納部から脱落するのを防止する可動ハンガー部材脱落防止手段とを備えていることを特徴とする可収納ハンガーを提供することにある。
【０００９】
本発明の第２の基本的な課題解決手段は、ハンガー収納部と、このハンガー収納部に収納自在に設置された可動ハンガー部材とから成る可収納ハンガーにおいて、ハンガー収納部は、１対の相対する支持ブラケットから成り、可動ハンガー部材は、１対の支持ブラケットに摺動自在で揺動自在にそれぞれ支持される１対の両端支持部を備え、これらの１対の両端支持部は、可動ハンガー部材が摺動運動の前進位置で揺動運動の先端が下降する位置となるように１対の支持ブラケットに支持され、前記可動ハンガー部材の前進下降位置で可動ハンガー部材が１対の支持ブラケットから脱落するのを防止する可動ハンガー部材脱落防止手段を備えていることを特徴とする可収納ハンガーを提供することにある。
【００１０】
本発明の第２の基本的な課題解決手段において、可動ハンガー落下防止手段は、１対の支持ブラケットと可動ハンガー部材の１対の両端支持部との一方に設けられた支持杆と他方に設けられ支持杆を案内する案内溝とから成っている形態とすることができる。
【００１１】
この場合、ハンガー収納部は、可動ハンガー部材の収納位置で可動ハンガー部材の両端支持部を下支えする底壁を有するのが望ましい。ハンガー収納部のこの底壁は、１対の支持ブラケットに一体にそれぞれ設けられた底壁が兼ねることができる。
【００１２】
また、１対の支持ブラケットは、その底壁が連続しており、また横支持杆は、１対の支持ブラケットに跨って取付けられている形態とすることができる。
【００１３】
更に、ハンガー収納部の底壁は、可動ハンガー部材の摺動運動の前進位置（使用位置）で可動ハンガー部材を斜め下向きに維持するように設けられた傾斜支持面を前方に有するのが好ましい。
【００１４】
可動ハンガー部材の１対の両端支持部の案内溝は、その前端に設けられて可動ハンガー部材の収納位置で支持杆が係入して可動ハンガー部材を抜け止めする係入凹部を備えることができ、またその後端に設けられて可動ハンガー部材の前進下降位置で支持杆が係入して可動ハンガー部材の前後の変位を拘束するする係入凹部を備えることができる。
【００１５】
本発明の第２の基本的な課題解決手段において、可動ハンガー部材脱落防止手段は、可動ハンガー部材と１対の支持ブラケットとの間に設けられ可動ハンガー部材の前進落下位置を保持する可撓性長尺体又はスプリングの如き索条体とすることができる。
【発明の効果】
【００１６】
本発明によれば、上記のように、可動ハンガー部材は、揺動運動と水平運動とを併用して出し入れするので、使用位置では、前方に大きく張り出すことがなく、使用空間が大きくなることがない上に、吊り戸棚等の収納物体の下方に設けられた場合でも、収納物体の前方下方に張り出すことがなく、従って上方にある収納物体にアクセスするのを阻害することがない。
【００１７】
また、可動ハンガー部材の出し入れ操作は、ハンガー収納部前方のみで行われ、従って収納物体の下方のように、奥へ手を延ばす必要がなく、出し入れ操作を容易に行うことができる。
【発明を実施するための最良の形態】
【００１８】
本発明の1つの実施の形態による可収納ハンガー１０を以下に図面を参照して詳細に述べる。この可収納ハンガー１０は、典型的には、図１に示すように、吊り戸棚５０の下方に設けられているが、戸棚に限らず、戸がない棚でもよいし、天袋その他種々の収納物体に適用することができ、また収納物体とは関係なく、垂直な壁に直接取り付けてもよい。    
【００１９】
図２乃至図４に示すように、可収納ハンガー１０は、収納物体５０の下方に設けられたハンガー収納部２０に収納自在に設置された可動ハンガー部材３０から成っており、図示の形態では、ハンガー収納部２０は、収納物体の５０底面に設けられた１対の相対する支持ブラケット２２Ｒ、２２Ｌから成っている。
【００２０】
１対の支持ブラケット２２Ｒ、２２Ｌは、図２及び図３に示すように、収納物体５０の底面５０Ｂにねじ止めされる水平取付け片２４とこの水平取付け片２４から一体に垂下する垂直支持片２６とからなり、垂直支持片２６は、後に述べる可動ハンガー部材３０の１対の両端支持部が係入する係入溝２８を有する。
【００２１】
可動ハンガー部材３０は、特に、図３及び図４から解るように、支持ブラケット２２Ｒ、２２Ｌの前方付近に水平方向に設けられた横方向の支持杆４２Ｒ、４２Ｌに摺動自在で揺動自在に支持される１対の両端支持部４４Ｒ、４４Ｌを有し、これらの１対の両端支持部４４Ｒ、４４Ｌは、可動ハンガー部材３０が摺動運動の前進位置における揺動運動で先端が下降する位置となるように支持杆４２Ｒ、４２Ｌを介して支持ブラケット２２Ｒ、２２Ｌに支持されている。
【００２２】
図示の形態では、１対の両端支持部４４Ｒ、４４Ｌは、可動ハンガー部材３０の本体であるハンガー杆３０Ｒの両端に一体に設けられた支持板４４ＲＢ、４４ＬＢの形態を有し、これらの支持板４４ＲＢ、４４ＬＢは、図４乃至図７に示すように、支持杆４２Ｒ、４２Ｌがそれぞれ貫通する水平方向の案内溝４６を有する。従って、１対の両端支持部４４Ｒ、４４Ｌは、案内溝４６の両端が支持杆４２Ｒ、４２Ｌに係合するまで係入溝２８内を水平方向に前後に摺動運動して可動ハンガー部材３０を出し入れすることができる。
【００２３】
ハンガー収納部４０は、可動ハンガー部材３０の収納位置（図５参照）で可動ハンガー部材３０の両端支持部４４Ｒ、４４Ｌを下支えする底壁４８を有する。図示の例では、この底壁４８は、１対の両端支持部４４Ｒ、４４Ｌの係入溝２８の底面を兼ねているが、例えば、後に図１０を参照して述べるように、支持ブラケット２２Ｒ、２２Ｌを連結するように係入溝２８の底面間を一体に延びる底壁から成っていてもよい。
【００２４】
また、ハンガー収納部４０の底壁４８は、図５乃至図７に示すように、可動ハンガー部材３０の使用位置で可動ハンガー部材３０の両端支持部４４Ｒ、４４Ｌを斜め下向きに維持するように設けられた傾斜支持面４８Ｓを前方に有する。従って、可動ハンガー部材３０は、図７に示すように、可動ハンガー部材３０が前進した使用位置では、両端支持部４４Ｒ、４４Ｌである支持板４４ＲＢ、４４ＬＢの下面がこの傾斜支持面４８Ｓの上に載って支持板４４ＲＢ、４４ＬＢが前端に向けて傾斜して可動ハンガー部材３０が前進下降位置（使用位置）となる。
【００２５】
同様に、図５乃至図７に示すように、１対の支持ブラケット２２Ｒ、２２Ｌの案内溝４６は、その前端に設けられて可動ハンガー部材３０の収納位置（図５参照）で支持杆４２Ｒ、４２Ｌが係入して可動ハンガー部材３０を抜け止めする係入凹部４６Ｆを有し、またその後端に設けられて可動ハンガー部材３０の前進下降位置（図７参照）で支持杆４２Ｒ、４２Ｌが係入して可動ハンガー部材３０の前後の変位を拘束する係入凹部４６Ｒを有する。
【００２６】
図５及び図６から解かるように、支持ブラケット２２Ｒ、２２Ｌの係入溝２８の高さＨ２８は、その中に係入された支持板４４ＲＢ、４４ＬＢの高さＨ４４よりも係入凹部４６Ｆ、４６Ｒの深さ分だけ大きく形成され、従って、可動ハンガー部材３０を出し入れする際には、これらの係入凹部４６Ｆ、４６Ｒから支持杆４２Ｒ、４２Ｌが外れるようにその深さ分だけ持ち上げて可動ハンガー部材３０を両端支持部４４Ｒ、４４Ｌ（支持板４４ＲＢ、４４ＬＢ）と共に係入溝２８内を前後に摺動する。
【００２７】
次に、図示の可収納ハンガー１０の使用状態を説明すると、可収納ハンガー１０の不使用状態では、図５及び図８に示すように、可動ハンガー部材３０の両端支持部４４Ｒ、４４Ｌ（支持板４４ＲＢ、４４ＬＢ）が１対の支持ブラケット２２Ｒ、２２Ｌの係入溝２８内に入り込んでおり、この位置で両端支持部４４Ｒ、４４Ｌが底壁４８の上に載っていて案内溝４６の前端係入凹部４６Ｆに支持杆４２Ｒ、４２Ｌが係入しているので、可動ハンガー部材３０が前後に変位するのが拘束されて可動ハンガー１０が不本意に移動することがない。
【００２８】
可動ハンガー１０を使用したい場合には、可動ハンガー部材３０のハンガー杆部分３０Ｒを握って支持杆４２Ｒ、４２Ｌが前部係入凹部４６Ｆから外れるように、可動ハンガー部材３０を持ち上げながら両端支持部４４Ｒ、４４Ｌの案内溝４６の後端が支持杆４２Ｒ、４２Ｌに突き当たるまで手前に引く。この位置で、可動ハンガー部材３０から手を離すと、先ず、両端支持部４４Ｒ、４４Ｌの水平案内溝４６の後部係入凹部４６Ｒに係入するように両端支持部４４Ｒ、４４Ｌが係入溝２８内で下降し（図６参照）、更にこれらの両端支持部４４Ｒ、４４Ｌは、底壁４８の傾斜支持面４８Ｓに係合するように斜め下向きに下降する（図７参照）。
【００２９】
この状態では、図７及び図９に示すように、可動ハンガー部材３０のハンガー杆部分３０Ｒが収納物体５０の前方下方に位置するので、例えば、布巾を干すためのハンガー６０を吊下げることができる。なお、この使用位置では、既に述べたように、案内溝４６の後部係入凹部４６Ｒに支持杆４２Ｒ、４２Ｌが係入しているので、可動ハンガー部材３０のハンガー杆部３０Ｒが前後に変位することがなく、この使用状態を安定に維持することができる。
【００３０】
可収納ハンガー１０を使用しない場合には、上記と逆の操作で可収納ハンガー１０を収納することができる。即ち、可動ハンガー部材３０のハンガー杆部分３０Ｒを握って両端支持部４４Ｒ、４４Ｌを図６に示すように水平に戻し、また可動ハンガー部材３０を持ち上げて後部係入凹部４６Ｒから支持杆４２Ｒ、４２Ｌを外し、係入溝２８内に可動ハンガー部材３０を押し込む。両端支持部４４Ｒ、４４Ｌの案内溝４６の前端が支持杆４２Ｒ、４２Ｌに突き当たった位置で可動ハンガー部材３０から手を離すと、可動ハンガー部材３０は、水平案内溝４６の前部係入凹部４６Ｆに支持杆４２Ｒ、４２Ｌが係入するように係入溝２８内で下降して図５に示す収納位置（不使用位置）に戻る。
【００３１】
上記の使用状態の説明から解るように、支持杆４２Ｒ、４２Ｌと案内溝４６とは、相互に係合して可動ハンガー部材３０を１対の支持ブラケット２２Ｒ、２２Ｌ内を案内すると共に、可動ハンガー部材３０の前進下降位置で可動ハンガー部材３０が支持ブラケット２２Ｒ、２２Ｌから脱落するのを防止する可動ハンガー部材脱落防止手段を構成している。    
【００３２】
また、可動ハンガー部材３０の１対の両端支持部４４Ｒ、４４Ｌ（案内溝４６付き支持板４４ＲＢ、４４ＬＢ）とハンガー収納部２０を構成する１対の係入溝２８付き支持ブラケット２２Ｒ、２２Ｌと支持杆４２Ｒ、４２Ｌと底壁４８の傾斜支持面４８Ｓとは、可動ハンガー部材３０をハンガー収納部２０に摺動自在で揺動自在に支持し、且つ可動ハンガー部材が摺動運動の前進位置における揺動運動で先端が下降する位置となるように支持する可動ハンガー部材支持手段を構成しているが、この支持手段は、上記の構成に限定されない。
【００３３】
なお、上記実施の形態では、左右の支持ブラケット２２Ｒ、２２Ｌが相互に独立して設けられていたが、図１０に示すように、左右の支持ブラケット２２Ｒ、２２Ｌの底壁４８が一体に連続し、また左右の横支持杆４２Ｒ、４２Ｌが一体に連続していてもよく、このような構造であると、左右の支持ブラケット２２Ｒ、２２Ｌ及び左右の支持杆４２Ｒ、４２Ｌが自動的に相互に相対しているので、取付け作業が容易となる利点を有するので好ましい。
【００３４】
また、上記実施の形態では、可動ハンガー部材３０の前進下降位置で可動ハンガー部材３０が支持ブラケット２Ｒ、２２Ｌから脱落するのを防止するために、支持ブラケット２２Ｒ、２２Ｌに案内溝４６が設けられ、可動ハンガー部材３０の両端支持部４４Ｒ、４４Ｌに支持杆４２Ｒ、４２Ｌが設けられているが、図１１に示すように、可動ハンガー部材３０の両端支持部４４Ｒ、４４Ｌに支持杆４２が取付けられ、支持ブラケット２２Ｒ、２２Ｌに案内溝４６が設けられていてもよい。なお、同じ部分は、同じ符号が付してある。    
【００３５】
また、上記の説明では、可動ハンガー部材脱落防止手段は、１対の支持ブラケット２２Ｒ、２２Ｌと可動ハンガー部材３０の１対の両端支持部４４Ｒ、４４Ｌとの一方に設けられた支持杆４２Ｒ、４２Ｌと他方に設けられて支持杆４２Ｒ、４２Ｌを案内する案内溝４６とから成っているが、この可動ハンガー部材脱落防止手段は、図１２に示すように、支持杆４２Ｒ、４２Ｌと案内溝４６とに代えて、可動ハンガー部材３０と１対の支持ブラケット２２Ｒ、２２Ｌとの間に設けられ可動ハンガー部材３０の前進落下位置を保持する可撓性長尺体又はスプリングの如き索条体４０とすることができる。この場合、索条体４０がスプリングである場合には、このスプリングは、可動ハンガー部材３０を前進する際に可動ハンガー部材３０を引き戻すことがなく、且つ可動ハンガー部材３０の前進下降位置でこの可動ハンガー部材３０が支持部ブラケット２２Ｒ、２２Ｌから落下することがないように懸吊することができる程度のバネ力に設定される。
【産業上の利用可能性】
【００３６】
本発明によれば、可動ハンガー部材を水平摺動運動と前進位置での上下揺動運動とで下方使用位置と上方収納位置とに進退するので、使用位置で可動ハンガー部材が大きく張り出すことがなく、使用空間が小さくて済む上に、収納物体の下方に設置された場合でも、可動ハンガー部材の張り出しによる収納物体へのアクセスが阻害されることがなく、また可動ハンガー部材は、ハンガー収納部の前方で出し入れ操作するので、手を長く伸ばす必要がなく、出し入れ操作が容易であり、産業上の利用性が向上する。
【図面の簡単な説明】
【００３７】
【図１】本発明に係る可収納ハンガーの使用状態の概略斜視図である。
【図２】本発明の１つの実施形態による可収納ハンガーの正面図である。
【図３】図２の可収納ハンガーの支持部分の垂直断面図である。
【図４】図２の可収納ハンガーの使用位置を破線で示し、収納位置（不使用位置）を実線で示し、図２のＶＩ−ＶＩ線で切断した側断面図である。
【図５】図４と同じであるが、可収納ハンガーの収納位置の側断面図である。
【図６】図４と同じであるが、可収納ハンガーの収納位置と使用位置との間の位置の側断面図である。
【図７】図４と同じであるが、可収納ハンガーの使用位置の側断面図である。
【図８】図５のＶＩＩＩ−ＶＩＩＩ線で切断して示した断面図である。
【図９】図７のＩＸ−ＩＸ線で切断して示した断面図である。
【図１０】図３と同じであるが、支持ブラケットと横支持杆とを変形した垂直断面図である。
【図１１】図４と同様の図であるが、可動ハンガー部材を支持ブラケットに摺動自在に支持する支持杆と案内溝との位置を逆にした本発明の他の実施の形態による可収納ハンガーの側断面図である。
【図１２】図４と同様であるが、可動ハンガー部材が前進下降位置で支持ブラケットから落下するのを防止する可動ハンガー部材落下手段が索条体である可収納ハンガーの側断面図である。
【符号の説明】
【００３８】
１０  可収納ハンガー
２０  ハンガー収納部
２２Ｒ、２２Ｌ  支持ブラケット
２４  水平取付け片
２６  垂直支持片
２８  係入溝
３０  可動ハンガー部材
３０Ｒ  ハンガー杆部分
４２Ｒ、４２Ｌ  支持杆
４４Ｒ、４４Ｌ  １対の両端支持部
４４ＲＢ、４４ＬＢ  支持板
４６  案内溝
４６Ｆ  前部係入凹部
４６Ｒ  後部係入凹部
４８  底壁
４８Ｓ  傾斜支持面
５０  収納物体
５０Ｂ  収納物体の底面
【図１】
2007175282.tif 000003
【図２】
2007175282.tif 000004
【図３】
2007175282.tif 000005
【図４】
2007175282.tif 000006
【図５】
2007175282.tif 000007
【図６】
2007175282.tif 000008
【図７】
2007175282.tif 000009
【図８】
2007175282.tif 000010
【図９】
2007175282.tif 000011
【図１０】
2007175282.tif 000012
【図１１】
2007175282.tif 000013
【図１２】
2007175282.tif 000014